(57)【要約】【課題】  特定構造のコンパクトな気水分離器を用い、十分な気水分離効果が得られ、家庭用として好適な湿式電気掃除機を提供すること。【解決手段】  汚れと水分を空気と共に吸引する吸引ノズル１１と、該吸引ノズル１１から吸引される汚れ、水分及び空気の混合流Ａを導通する吸引ホース１２と、該混合流Ａから汚れと水分を分離する気水分離器１３と、該混合流Ａを吸引する出力１．５ｋＷ以下の電動ファン１５と、該混合流Ａから分離される汚れと水分を貯溜する汚水タンク１４とを備え、前記気水分離器１３は、上板３５、該上板３５に設けられた前記混合流Ａの導入筒３１、前記汚水タンク１４と連通する液導出口３７、該導入筒３１の周囲に設けられた複数個の隔壁３２Ａ、３３Ａを備える。【選択図】  図２
2005323671.tif 000002
【特許請求の範囲】
【請求項１】
汚れと水分を空気と共に吸引する吸引ノズルと、該吸引ノズルから吸引される汚れ、水分及び空気の混合流を導通する吸引ホースと、該混合流から汚れと水分を分離する気水分離器と、該混合流を吸引する出力１．５ｋＷ以下の電動ファンと、該混合流から分離される汚れと水分を貯溜する汚水タンクとを備えた湿式電動掃除機であって、
前記気水分離器は、上板、該上板に設けられた前記混合流の導入筒、前記汚水タンクと連通する液導出口、該導入筒の周囲に設けられた複数個の隔壁を備える湿式電気掃除機。
【請求項２】
前記隔壁が、筒状隔壁であり、該筒状隔壁が前記導入筒を囲むように少なくとも２個設けられ、少なくとも２個の該筒状隔壁により、該導入筒の外方に、順次少なくとも第１室、第２室及び第３室が形成され、
前記導入筒と前記第１室から前記第３室までは、前記混合流が蛇行経路を形成する状態で連通している請求項１記載の湿式電気掃除機。
【請求項３】
前記汚水タンクは前記気水分離器の下に配置されており、前記液導出口は、その径が該汚水タンク内部方向に向かうにつれて減少し、前記導入筒の下に配置されている請求項１又は２に記載の湿式電気掃除機。
【請求項４】
前記気水分離器の底板には、その上に溜った水を前記汚水タンクに導出する補助導出孔が設けられている請求項１〜３の何れかに記載の湿式電気掃除機。
【請求項５】
前記導入筒の内部空間の横断面積Ｓ０は、５〜２０ｃｍ2であり、
前記導入筒の内部空間の横断面積Ｓ０に対する前記第１室の内部空間の横断面積Ｓ１の面積比（Ｓ１／Ｓ０）は、５〜２０であり、
前記導入筒の筒壁と最内側の前記筒状隔壁との上下方向の重なり長さＬ１が２〜１０ｃｍである請求項２〜４の何れかに記載の湿式電気掃除機。
【請求項６】
前記導入筒は円筒形状であり、前記液導出口の上部の内径Ｄ２とその下部の内径Ｄ３と該導入筒の内径Ｄ０との関係がＤ２＞Ｄ０＞Ｄ３である請求項３〜５の何れかに記載の湿式電気掃除機。
【発明の詳細な説明】
【技術分野】
【０００１】
本発明は、被洗浄物の汚れを水分と共に吸引する湿式電気掃除機に関する。
【背景技術】
【０００２】
従来より、主に業務用として、被洗浄物に水を噴射しながら、又は被洗浄物に予め水を散布した後、被洗浄物の汚れを水と共に吸引する湿式電気掃除機が使用されている。
【０００３】
【特許文献１】特開２００１−１６１７６２号公報
【特許文献２】特開平１１−１９６０３号公報
【発明の開示】
【発明が解決しようとする課題】
【０００４】
しかし、このような湿式電気掃除機においては、汚れのみを吸引する乾式電気掃除機とは異なり、気水分離器により、汚れ、水及び空気からなる混合流から汚れと水（汚水）を分離（いわゆる気水分離）した後、該混合流（その大部分は空気であるが）を吸引して排気する必要があるため、大きな吸引力が必要である。そのため、高出力の電動ファンが用いられ、掃除機が大型化している。
【０００５】
また、大きな吸引力で混合流を吸引すると、混合流が汚水タンクに貯溜した汚水表面に勢いよく当たり、汚水表面が波立ち、汚水タンク内で泡立ちが発生し易く、その泡が気水分離器に入り込み、その結果、気水分離効率が低下するという問題点もある。
【０００６】
従って、本発明の目的は、特定構造のコンパクトな気水分離器を用い、十分な気水分離効果が得られ、家庭用として好適な湿式電気掃除機を提供することにある。
【課題を解決するための手段】
【０００７】
本発明は、汚れと水分を空気と共に吸引する吸引ノズルと、該吸引ノズルから吸引される汚れ、水分及び空気の混合流を導通する吸引ホースと、該混合流から汚れと水分を分離する気水分離器と、該混合流を吸引する出力１．５ｋＷ以下の電動ファンと、該混合流から分離される汚れと水分を貯溜する汚水タンクとを備えた湿式電動掃除機であって、前記気水分離器は、上板、該上板に設けられた前記混合流の導入筒、前記汚水タンクと連通する液導出口、該導入筒の周囲に設けられた複数個の隔壁を備える湿式電気掃除機を提供することにより、上記目的を達成したものである。
【発明の効果】
【０００８】
本発明の湿式電気掃除機によれば、十分な気水分離効果が得られるので、コンパクトで、家庭用の湿式電気掃除機として好適である。
【発明を実施するための最良の形態】
【０００９】
以下、本発明の湿式電気掃除機を、その好ましい一実施形態について、図面を参照して説明する。
本実施形態の湿式電気掃除機１は、図１及び図２に示すように、汚れと水を空気と共に吸引する吸引ノズル１１と、該吸引ノズル１１から吸引される汚れ、水及び空気の混合流Ａを導通する吸引ホース１２と、該吸引ホース１２から導入される該混合流Ａから汚れと水を分離する気水分離器１３と、該混合流Ａから空気Ｃを吸引排気する出力１．５ｋＷ以下の電動ファン１５と、該混合流Ａから分離される汚水Ｂを貯溜する汚水タンク１４とを備えている。
【００１０】
前記気水分離器１３には、図３〜図５に示すように、その中心部に前記混合流Ａを導入する導入筒３１が該気水分離器１３の上板３５に設けられ、該導入筒３１の下方に該気水分離器１３と前記汚水タンク１４とを連通する液導出口３７が設けられ、該導入筒３１の周囲に邪魔板として機能する隔壁３２Ａ及び３３Ａが複数個（本実施形態では２個）設けられている。
また、前記電動ファン１５の駆動により、図１〜図５に示すように、前記気水分離器１３において、前記吸引ホース１２を介して前記導入筒３１から導入される前記混合流Ａが２個の前記隔壁３２Ａ及び３３Ａに当たりながら該気水分離器１３から排気される一方、該混合流Ａから汚れ及び水（汚水Ｂ）が分離され、分離された汚れ及び水が前記汚水タンク１４内に貯溜するようになっている。
【００１１】
本実施形態の湿式電気掃除機１について詳述する。
前記吸引ノズル１１は、汚水を空気と共に吸引するもので、本実施形態においては、図１に示すように、平面視で末広がり形状を有する中空体であり、その先端部は開口し、被洗浄物との当接面となっている。
【００１２】
前記吸引ホース１２は、図１及び図２に示すように、吸引ノズル１１と前記気水分離器１３とを連通し、吸引ノズル１１から吸引される汚水と空気の混合流Ａを導通するものである。
吸引ホース１２の一端部１２Ａは、図２に示すように、吸引ノズル１１の内部と連通し、他端部１２Ｂは、前記気水分離器１３の前記導入筒３１の上部開口部の内側に嵌合している。
吸引ホース１２としては、従来より湿式電気掃除機用として用いられている吸引ホースを特に制限なく使用することができ、例えば、外内面が蛇腹状のホース、外面が蛇腹状で内面が平滑なホース、外内面が平滑なホース等が挙げられる。本実施形態においては、ホースの曲がり易さを確保しつつ、ホース内面への汚水の滞留や付着を防止する観点から、外側が蛇腹状で内側が平滑なホースを用いている。
【００１３】
前記気水離器１３は、吸引ホース１２から導入される混合流Ａから汚水Ｂを分離する機能を有するが、その詳細は後述する。
【００１４】
前記電動ファン１５は、混合流Ａから空気Ｃを吸引排気する。図２に示すように、吸引部１５Ａから吸引された空気Ｃは、排気部１５Ｂから外気中に排出される。
電動ファン１５は、湿式電気掃除機のコンパクト化の面で、出力１．５ｋＷ以下のものが好適であるが、被洗浄物等条件に応じて、１．２ｋＷ以下のもの、１．０ｋＷ以下のもの用いることができる。
【００１５】
前記汚水タンク１４は、混合流Ａから分離される汚水Ｂを貯溜するタンクであり、本実施形態においては、図１０に示すように、上方が開口する円筒形である。また、汚水タンク１４は、図３〜図５に示すように、気水分離器１３の下に配置されている。
汚水タンク１４の上方周縁部には、雌ネジ部１４Ａが形成され（図１０参照）、気水分離器１３の底板３６の周縁部に形成された雄ネジ部３９Ｃ（図８参照、後述）にネジ込み接合できるようになっている。なお、図示しないが、ねじ込み接合に替えて、スナップファスナー（いわゆるパチン錠）を使用することもできる。
【００１６】
気水分離器１３の排出部３８（後述）と電動ファン１５の吸引部１５Ａとの間には、汚水がほぼ除去された混合流Ａ中に残存する微量の汚水を吸着分離するフィルタ１６が設けられている。
フィルタ１６としては、混合流Ａから前記汚水を吸着分離できるものであればよく、各種スポンジや不織布からなる通常のフィルタを使用できる。
【００１７】
以下に、本発明の湿式電気掃除機の気水分離器１３の構成を、図３〜図９を参照して詳述する。
気水分離器１３は、図３〜図６に示すように、略円柱形状で、汚水タンク１４の上部に配置されている。気水分離器１３には、その中心部に混合流Ａを導入する前記導入筒３１が設けられている。
前記隔壁３２Ａ、３３Ａは筒状隔壁である。該筒状隔壁３２Ａ、３３Ａは前記導入筒３１を囲むように２個設けられ、２個の該筒状隔壁３２Ａ、３３Ａにより、該導入筒３１の外方に、順次第１室３２、第２室３３及び第３室３４が形成される。該筒状隔壁３３Ａの外方には、外周壁３４Ａが位置しており、外周壁３４Ａも邪魔板として機能する。
筒壁３１Ａ、第１隔壁３２Ａ、第２隔壁３３Ａ及び外周壁３４Ａは、図５に示すように、何れも円筒形状であり、平面視で略同心円状に配置されている。なお、図示しないが、略同心円状に替えて、略同心楕円状に配置してもよい。
【００１８】
図４に示すように、筒壁３１Ａの下端が第１隔壁３２Ａの下端より上方に位置し、それらの下部で導入筒３１と第１室３２が連通している。筒壁３１Ａの下端と第１隔壁３２Ａの下端との距離Ｌ２は、好ましくは１〜３ｃｍである。
第１隔壁３２Ａの上端が第２隔壁３３Ａの上端より下方に位置し、それらの上部で第１室３２と第２室３３が連通している。第１隔壁３２Ａの上端と第２隔壁３３Ａの上端との距離Ｌ３は、好ましくは１〜２ｃｍである。
第２隔壁３３Ａの下端が外周壁３４Ａの下端より上方に位置して、それらの下部で第２室３３と第３室３４が連通している。第２隔壁３３Ａの下端と外周壁３４Ａの下端との距離Ｌ４は、好ましくは１〜３ｃｍである。なお、上述の連通状態、すなわち、導入筒３１と第１室３２がそれらの下部で連通し、第１室と第２室はそれらの上部で連通し、さらに第２室と第３室はそれらの下部で連通している状態を、本発明では、「蛇行経路を形成する状態で連通する」という。
【００１９】
気水分離器１３の上面は、図４に示すように、上板３５により、導入筒３１が該上板３５を貫通する部分を除き閉鎖されている。上板３５の下面には、第２隔壁３３Ａの上端及び外周壁３４Ａの上端がそれらの全周に亘って接合されているが、一部分接合されていない個所があってもよい。
【００２０】
気水分離器１３の底面は、図４に示すように、底板３６により、液導出口３７を除き実質的に閉鎖されているが、底板３６には、その上に溜まった水を汚水タンク１４に導出する補助導出孔４１が設けられている。底板３６の上面には、第１隔壁３２Ａの下端及び外周壁３４Ａの下端がそれらの全周に亘って接合されている。
【００２１】
図３〜図６に示すように、気水分離器１３の外周壁３４Ａの上方には、排出部３８が設けられ、第３室３４に流入した混合流Ａ中の空気が、該排出部３８から排出される。
【００２２】
本実施形態においては、第２隔壁３３Ａの下端は図７に示すように、段差を有し、図４及び図５に示すように、図７に示す段差面３３Ｂは底板３６の上面に接合しているが段差面３３Ｃは底板３６の上面に接合せず、底板３６の上面からＬ４だけ離れている。図７に示すように、段差面３３Ｂと段差面３３Ｃはそれぞれ円筒状の第２隔壁３３Ａの全周の約半分（１８０°）を占めている。また図４及び図５から明らかなように、排出部３８は底板３６の上面と接合している側の第２隔壁３３Ａの段差面３３Ｂ側に設けられている。よって、第２室３３と第３室３４とは、第２隔壁３３Ａの段差面３３Ｃの下端近傍を介して連通しているが、第２隔壁３３Ａの段差面３３Ｂの下端近傍では連通していない
第２隔壁３３Ａの全周３６０°に対する前記の段差面３３Ｃの占める割合は、前記の第２室３３と第３室３４が連通することを条件とし、好ましくは９０°〜２７０°、さらに好ましくは、１５０°〜２１０°（本実施形態）である。また、平面視で、段差面３３Ｂの円弧の中点部分に対応する外周壁３４Ａに排出部３８を位置させるのが好ましい。
【００２３】
底板３６の中心部には、液導出口３７が設けられている。液導出口３７は導入筒３１の下に配置され、その径は、図４に示すように、汚水タンク１４の内部方向に向かうにつれて連続的に漸減している。なお、液導出口３７の径は、連続的ではなく段階的に減少してもよい。
また、前記気水分離器１３の底板３６には、その上に溜った水を前記汚水タンク１４に導出する補助導出孔４１（図４及び図８参照）が設けられている。該補助導出孔４１の大きさ、形状、数等は、気水分離器１３の底板３６の上に溜った水が汚水タンク１４に自然に導出され且つ混合流Ａの流通及び気水分離を阻害しないような範囲で設定すればよい。
【００２４】
導入筒３１の内部空間の横断面積Ｓ０は、好ましくは５〜２０ｃｍ2、更に好ましくは５〜１０ｃｍ2である。
導入筒３１の内部空間の横断面積Ｓ０に対する第１室３２の内部空間の横断面積Ｓ１の面積比（Ｓ１／Ｓ０）は、好ましくは５〜２０である。
導入筒３１の筒壁３１Ａと第１隔壁３２Ａ（最内側の筒状隔壁）との上下方向の重なり長さＬ１は、好ましくは２〜１０ｃｍである。
【００２５】
本実施形態では、液導出口３７の上部の内径Ｄ２とその下部の内径Ｄ３と導入筒３１の内径Ｄ０との関係はＤ２＞Ｄ０＞Ｄ３であり、そのため、導入筒３１から導入される混合流Ａの一部が液導出口３７の内斜面に当たり、流速を弱めてから汚水タンク１４内に流入し、汚水タンク１４内の汚水Ｂの泡立ちが発生し難くなっている。
【００２６】
気水分離器１３は、図７〜図９に示すように、上ブロック１３Ａと下ブロック１３Ｂとに分離できるようになっている。すなわち各ブロックは、気水分離器１３の上板３５の周縁部に形成された雌ネジ部３９Ａと、外周壁３４Ａの上部周縁部に形成された雄ネジ部３９Ｂとのネジ込み嵌合によって接合され、嵌合解除により分離される。
【００２７】
上ブロック１３Ａにおいては、図７に示すように、上板３５の下面中心部に導入筒３１の筒壁３１Ａ、その外側に第２隔壁３３Ａが接合されている。
【００２８】
下ブロック１３Ｂにおいては、図８及び図９に示すように、底板３６の上面中心部に第１隔壁３２Ａ、その外側に外周壁３４Ａが接合され、また底板３６の中心部に液導出口３７が形成されている。
下ブロック１３Ｂと汚水タンク１４は、底板３６の周縁部に形成された雄ネジ部３９Ｃと汚水タンク１４に形成された前記雌ネジ部１４Ａとのネジ込み嵌合によって接合され、嵌合解除により分離される。
【００２９】
尚、図４において、上ブロック１３Ａは右下がり斜線、下ブロック１３Ｂは左下がり斜線で示されている。
また、気水分離器１３の上方においては、図３に示すように、ホース切り替え用筒４０が、導入筒３１の上部から横方向に延出するように設けられている。該ホース切り替え用筒４０は、吸引ホース１２とは内径の異なる吸引ホースを接続するためのものである。
【００３０】
本実施形態の湿式電気掃除機１における吸引ノズル１１の内部には、図２に示すように、洗浄液Ｗを噴射する噴射ノズル５１が設けられており、これらのノズルは、洗浄液Ｗを噴射しながら汚れと水を空気と共に吸引する「噴射吸引ノズル１０」を構成する。
更に本実施形態の湿式電気掃除機１は、洗浄液Ｗが貯溜された給液タンク５５と、洗浄液Ｗを送出する送液ポンプ５３と、送液ポンプ５３と給液タンク５５とを連通する連結チューブ５４と、送液ポンプ５３の駆動により連結チューブ５４を介して洗浄液Ｗを噴射ノズル５１に送給する送液チューブ５２とを備えている。
【００３１】
また、図１に示すように、気水分離器１３、電動ファン１５、汚水タンク１４、給液タンク５５、送液ポンプ５３、連結チューブ５４等は、ハウジング２０に収納されている。吸引ホース１２と送液チューブ５２とは、ハウジング２０の上部から露出し、両者が並列して吸引ノズル１１に連結されている。
ハウジング２０の下部には、前輪２１と後輪２２，２２が設けられ、これらの車輪は湿式電気掃除機１の移動を容易する。
【００３２】
噴射ノズル５１には送液チューブ５２が連結され、噴射ノズル５１の先端部から、送液チューブ５２から送給される洗浄液Ｗが被洗浄物に向けて噴射される。
噴射ノズル５１としては、洗浄液を霧状に穏かに噴射するタイプから洗浄液を直線状に勢いよく噴射するタイプまで、被洗浄物に応じて選択すことができる。本実施形態では、霧状に噴射するものを用いている。
【００３３】
送液チューブ５２、連結チューブ５４、送液ポンプ５３及び給液タンク５５としては、各々に要求される機能を果たすものであれば、それらの材質、形状、大きさ等に特に制限はない。
洗浄液としては、被洗浄物に応じて、洗剤を含む適切なものが用いられる。場合によっては洗剤を含有しない水を用いてもよい。
【００３４】
このように構成された本実施形態の湿式電気掃除機１の一使用方法として、住宅のカーペットを洗浄する場合について以下に説明する。
吸引ノズル１１をカーペット（図示せず）の汚れた部分に当接させて湿式電気掃除機１の電源を入れ、送液ポンプ５３と電動ファン１５を駆動させると給液タンク５５内の洗浄液Ｗが、連結チューブ５４と送液チューブ５２を経て噴射ノズル５１から霧状に噴射される。噴射された洗浄液Ｗによりカーペットが洗浄され、その汚れが除去される。
また、電動ファン１５の駆動により、吸引ノズル１１から吸引ホース１２を経て、除去された汚れを含む洗浄液Ｗが、カーペットに付着した髪の毛、綿ゴミ、埃等の乾燥ゴミと空気と共に、気水分離器１３に向けて吸引される。以下、これらの汚れ、洗浄液及び乾燥ゴミを合わせて「汚れと水分」又は「汚水Ｂ」といい、汚れと水分と空気とを合わせて「混合流Ａ」という。
【００３５】
混合流Ａは、吸引ノズル１１から吸引ホース１２を経て、気水分離器１３の導入筒３１に導入されるが、このとき急激な気圧の低下により混合流Ａ中の水分が凝集し、それが水滴となって液導出口３７から汚水タンク１４内に落下する。かかる気圧低下は、混合流Ａの流れ速度を遅くするので、該混合流Ａが気水分離器１３内に滞留する時間が長くなり、該混合流Ａからの汚れと水分の分離が促進される。
また、混合流Ａは、汚水タンク１４内にも流入し、汚水タンク１４内を循環するが、このとき混合流Ａが汚水タンク１４内の内壁、汚水等に当たり、混合流Ａに含まれる汚れと水分が、汚水タンク１４内の内面に付着したり、汚水と混合する。その結果、混合流Ａから汚れと水が更に分離される。なお、混合流Ａの蛇行も該混合流Ａが気水分離器１３内に滞留する時間を長くすることに寄与するが、特に該混合流Ａから細かい水滴を凝集させる効果がある。
【００３６】
導入筒３１に導入された混合流Ａは、直接又は汚水タンク１４内を循環してから、筒壁３１Ａの下端から第１室３２内に下方から流入し、同室内の下方から上方に流れ、更に第１隔壁３２Ａの上端から第２室３３内に上方から流入し、同室内の上方から下方に流れる（図２の白抜き矢印参照）。
このような流通過程において、混合流Ａは、特に流れの向きが変わるときに、隔壁３２Ａ、３３Ａ、上板３５、底板３６等に当たり、混合流Ａに含まれる汚れと水分が隔壁３２Ａ等に付着する。その結果、混合流Ａから汚れと水分が更に分離される。
【００３７】
ところで、第２室３３と第３室３４とは、排出部３８からは遠い位置にある段差面３３Ｃの下端近傍で連通しているが、排出部３８に近い位置にある段差面３３Ｂの下端近傍では連通していない。そのため、段差面３３Ｂの近傍に流れ込んだ混合流Ａは、段差面３３Ｃの方に回り込んでから、第３室３４に下方から流入する。第３室においても同様に、混合流Ａから汚れと水分が分離される。
第２室と第３室で分離された水分は、気水分離器１３の底板３６に形成された前記補助導出孔４１から汚水タンク１４内に導出される。
【００３８】
然る後、混合流Ａは、第３室３４を下方から上方に流れ、排出部３８から排出される。
排出部３８から排出された混合流Ａには、汚れと水分はほとんど残存していないが、残存する汚れと水分は、フィルタ１６を通過する際にほぼ完全に除去される。
フィルタ１６を通過した空気流Ｃは、電動ファン１５の吸引部１５Ａから吸引され、排気部１５Ｂから排出される。
【００３９】
本実施形態の湿式電気掃除機１によれば、カーペットに洗浄液を噴射しながら、カーペットの汚れを水と共に吸引し、カーペットの汚れを除去することができる。
また、本実施形態の湿式電気掃除機１によれば、混合流Ａが導入筒３１に導入されると急激な気圧の低下により混合流Ａの流れ速度が遅くなり、混合流Ａ中の水分が凝集して混合流Ａから分離する。また、混合流Ａが汚水タンク１４内を循環して、混合流Ａから汚れ及び水分が分離する。更に、混合流Ａが隔壁３２Ａ、３３Ａ、外周壁３４Ａ等に当たり、混合流Ａから汚れと水分が分離する。そして、フィルタ１６によっても混合流Ａから汚れと水分が除去される。
このように、本実施形態の湿式電気掃除機１では、気水分離器１３内の混合流Ａの流通経路を蛇行流を伴う複雑な状態にして、なるべく長時間、混合流Ａが気水分離器１３内に滞留するように設計されているので混合流Ａから汚れと水が効率的に分離される。
従って、本発明によれば、上述した特定構造の気水分離器を用いることにより、十分な気水分離効果が得られ、気水分離器の小容量化が図れるので家庭用として好適なコンパクトな湿式電気掃除機が提供される。
【００４０】
また、気水分離器１３の下に汚水タンク１４が配置されているため、混合流Ａが汚水タンク１４内に流入し易く、混合流Ａが汚水タンク１４内を循環することによる、前述の気水分離効果も得られる。
気水分離器１３と汚水タンク１４とを連通する液導出口３７の径が汚水タンク１４の内部方向に向かうにつれて漸減しているので、汚水タンク１４内に貯溜した汚水Ｂの泡立ちの発生を低減することができる。また、汚水タンク１４内で発生した泡が気水分離器１３内に逆流することを抑制することができる。
本実施形態の湿式電気掃除機１によれば、吸引ノズル１１に噴射ノズル５１が設けられているため、洗浄液を噴射しながら、汚れと水分を吸引することができ、清掃作業が容易である。
【００４１】
本発明の湿式電気掃除機は、前述した実施形態に制限されることなく、本発明の趣旨を逸脱しない限り、以下に示すように適宜変更が可能である。
気水分離器における隔壁の形状は、筒状でなくても邪魔板機能を有する形態であればよく、その個数は、前記実施形態の２個に制限されず、１個又は３個以上でもよい。隔壁の数が多くなれば、混合流の流通経路がより複雑になりその分、気水分離器内の混合流の滞留時間も長くなり、気水分離効果が更に向上するので、コンパクト性を阻害しない範囲で隔壁の数を多くしてもよい。
導入筒、隔壁及び外周壁は、前記実施形態の円筒形状に制限されず、四角筒等の他の形状でもよい。
汚水タンク１４は、気水分離器１３と接してその下に設置されることが好ましいが、気水分離器１３と接していないように設置することもできる。隣接する隔壁間の上方又は下方の連通部分は、該隔壁の全周に亘って形成されなくてもよく、例えば、連通部分と非連通部分とが該隔壁の周方向に交互に配置された構成としてもよい。
【００４２】
吸引ノズルは、被洗浄物に応じて、適切な形状を有するものに付け替えて用いることが
できる。
本発明の湿式電気掃除機は、、カーペットや車のシートのような細かい凹凸のある被洗浄物の洗浄に特に適しているが、畳、フローリング、窓ガラス等の住居の各部分の洗浄にも用いることができる。
【００４３】
噴射ノズルを吸引ノズルの外部に配置し、吸引ノズルの外部から洗浄液が噴射されるように構成することもできる。また。洗浄液の噴射機能を設けていなくてもよく、その場合には、被洗浄物に予め洗浄液を散布した後、被洗浄物の汚れを水分と共に吸引すればよい。
送液チューブは、吸引ホースの外周面に該吸引ホースと一体的に設けてもよく、吸引ホースの内部に配置してもよい。
【図面の簡単な説明】
【００４４】
【図１】図１は、本発明の一実施形態の湿式電気掃除機を、そのハウジングを仮想的に透過して示す斜視図である。
【図２】図２は、図１に示す湿式電気掃除機の全容を、汚れ、水分等の流通経路と共に示す模式図である。
【図３】図３は、本発明の一実施形態の湿式電気掃除機における気水分離器及び汚水タンクを示す斜視図である。
【図４】図４は、本発明の一実施形態の湿式電気掃除機における気水分離器及び汚水タンクを示す模式的断面図である。
【図５】図５（ａ）〜（ｄ）は、それぞれ図４に示すＡ−Ａ断面図、Ｂ−Ｂ断面図、Ｃ−Ｃ断面図、Ｄ−Ｄ断面図である。
【図６】図６は、本発明の一実施形態の湿式電気掃除機における気水分離器を示す斜視図である。
【図７】図７は、図６に示す気水分離器を分解した上ブロックを斜め下方から視た斜視図である。
【図８】図８は、図６に示す気水分離器を分解した下ブロックを斜め上方から視た斜視図である。
【図９】図９は、図６に示す気水分離器を分解した下ブロックを斜め下方から視た斜視図である。
【図１０】図１０は、本発明の一実施形態の湿式電気掃除機における汚水タンクを示す斜視図である。
【符号の説明】
【００４５】
１  湿式電動掃除機
１０  噴射吸引ノズル
１１  吸引ノズル
１２  吸引ホース
１３  気水分離器
１４  汚水タンク
１５  電動ファン
１６  フィルタ
２０  ハウジング
２１  前輪
２２  後輪
３１  導入筒
３１Ａ  筒壁
３２  第１室
３２Ａ  第１隔壁（最内側の筒状隔壁）
３３  第２室
３３Ａ  第２隔壁
３４  第３室
３４Ａ  外周壁
３５  上板
３６  底板
３７  液導出口
３８  排出部
４１  補助導出孔
５１  噴射ノズル
５２  送液チューブ
５３  送液ポンプ
５４  連結チューブ
５５  給液タンク
Ａ  混合流
Ｂ  汚水
Ｃ  空気
Ｗ  洗浄液
【図１】
2005323671.tif 000003
【図２】
2005323671.tif 000004
【図３】
2005323671.tif 000005
【図４】
2005323671.tif 000006
【図５】
2005323671.tif 000007
【図６】
2005323671.tif 000008
【図７】
2005323671.tif 000009
【図８】
2005323671.tif 000010
【図９】
2005323671.tif 000011
【図１０】
2005323671.tif 000012